(57)【特許請求の範囲】
【請求項１】
所定の装置を操作する操作ノブと、
前記操作ノブと隣接して配置され且つ該操作ノブの操作内容を示すマークを表示する操作表示部とを備え、
前記操作表示部は、前記マークが形成された拡散部材と、該拡散部材の背後に配置された光源とを備え、
前記拡散部材は、前記光源が発した光の一部により透過照明されて前記マークを表示すると共に、該光の残部を拡散し、この拡散光により、前記操作ノブの側面を照明し、
前記操作ノブの前記側面と前記拡散部材の側面との間に配置された透光性部材を備え、
前記拡散部材は、自身の前記拡散光により、前記透光性部材を照明すると共に、前記操作ノブの前記側面を該透光性部材を通して照明することを特徴とする操作パネル。
【請求項２】
前記拡散部材は、無彩色または有彩色の色調を有することを特徴とする請求項１に記載の操作パネル。
【請求項３】
前記透光性部材は、前記拡散部材の前記拡散光の少なくとも一部を前記操作ノブの前記側面へ反射する反射部を、裏面側に有することを特徴とする請求項１または２に記載の操作パネル。
【請求項４】
前記透光性部材は、前記拡散部材の前面をカバーするように形成されていることを特徴とする請求項１ないし請求項３のいずれか一項に記載の操作パネル。
【請求項５】
前記透光性部材は、無彩色と有彩色の一方の色調を有することを特徴とする請求項１ないし請求項４のいずれか一項に記載の操作パネル。
【請求項６】
前記透光性部材は、無色透明であることを特徴とする請求項１ないし請求項４のいずれか一項に記載の操作パネル。
【請求項７】
前記透光性部材は、その内部に導かれた光を拡散する性質を有することを特徴とする請求項１ないし請求項５のいずれか一項に記載の操作パネル。
【請求項８】
前記マークは、前記拡散部材の前面に形成され、
前記透光性部材は、操作パネルの前面側に形成された透光性プレートであり、
前記透光性部材の背後に配置されたパネルベースを備え、
前記操作ノブは、前記パネルベースの第１開口と前記透光性部材の開口とを貫通するように配置され、
前記拡散部材は、前記パネルベースの第２開口を貫通するように配置され、
前記パネルベースは、自身の前面に反射部を有し、
前記反射部は、前記拡散部材の前記拡散光の少なくとも一部を、前記透光性部材を通して前記操作ノブの前記側面に反射することを特徴とする請求項１ないし請求項７のいずれか一項に記載の操作パネル。
【請求項９】
前記拡散部材は、前記パネルベースに固定されていることを特徴とする請求項８に記載の操作パネル。
【請求項１０】
前記パネルベースの前記反射部は、銀色の反射面または白色の反射面で構成されることを特徴とする請求項８または請求項９に記載の操作パネル。
【請求項１１】
前記パネルベースの前記反射部は、有彩色の反射面であることを特徴とする請求項８または請求項９に記載の操作パネル。
【発明の詳細な説明】
【技術分野】
【０００１】
本発明は、所定の装置を操作する操作ノブとこの操作内容を示すマークを表示する操作表示部とを備えた操作パネルに関するものであり、自動車のインストルメントパネルに取り付けられる操作パネルに用いて好適である。
【背景技術】
【０００２】
従来、自動車のインストルメントパネルには車室の空調装置等を操作する複数の操作ノブをまとめて組付けた操作パネルが設置されている。
【０００３】
本出願人は、自動車の空調装置等を操作する複数の操作ノブ（スイッチノブを含む）が組付けられた操作パネルにおいて、夜間の見映えを向上するとともに、操作ノブの視認性を向上するため、以下の構成を提案している（特許文献１を参照）。
【０００４】
即ち、透光性プレートを、操作パネルの前面の操作ノブの余白部に重ね合わせ、透光性プレート側端付近に設けた光源からの光を、透光性プレートの側端から透光性プレート内へ入光させ、透光性プレート内に拡散させる。透光性プレート内で拡散させた光により、操作パネルの表面の余白部を照明し、夜間の見映えを向上する。さらに、この透光性プレート内で拡散させた光により、操作ノブの側面を照明して、夜間における操作ノブの視認性を向上する。
【特許文献１】特開２００５−１１２１７０号公報
【発明の開示】
【発明が解決しようとする課題】
【０００５】
しかし、特許文献１では、各操作ノブの操作内容を示すマークが、各操作ノブの前面に形成され、これを透過照明するために別の光源を必要とする。
【０００６】
本発明は、上記問題点に鑑みてなされたものであり、所定の装置を操作する操作ノブと操作ノブの操作内容を示すマークを表示する操作表示部とを備えた操作パネルにおいて、一つの光源によりマークを視認させつつ操作ノブの視認性を確保することを目的とする。
【課題を解決するための手段】
【０００７】
本発明は上記目的を達成するため、以下の技術的手段を採用する。
【０００８】
請求項１に記載の操作パネルは、所定の装置を操作する操作ノブと、操作ノブと隣接して配置され且つ操作ノブの操作内容を示すマークを表示する操作表示部とを備え、操作表示部が、マークが形成された拡散部材と、拡散部材の背後に配置された光源とを備え、拡散部材が、光源が発した光の一部により透過照明されてマークを表示すると共に、この光の残部を拡散し、この拡散光により、操作ノブの側面を照明し、操作ノブの側面と拡散部材の側面との間に配置された透光性部材を備え、拡散部材は、自身の拡散光により、透光性部材を照明すると共に、操作ノブの側面を透光性部材を通して照明する構成とする。
【０００９】
この構成では、マークが形成された拡散部材が、光源が発した光の一部により透過照明され、且つ、この光の残部を拡散した拡散光により、操作ノブの側面を照明する。これにより、一つの光源によりマークを視認させつつ操作ノブの視認性を確保できる。また、この構成では、拡散部材が、操作ノブの側面を、透光性部材を通して照明し、且つ、透光性部材も照明する。これにより、上述の効果に加えて、操作パネルの見映えをより向上することができる。
【００１０】
請求項２に記載の操作パネルは、拡散部材が、無彩色または有彩色の色調を有する構成とする。
【００１１】
この構成でも上述の効果を得ることができる。拡散部材が有彩色の色調（明度、色相、彩度）を有する場合、操作パネルの見映えをより向上することができる。
【００１４】
請求項３に記載の操作パネルは、透光性部材が、拡散部材の拡散光の少なくとも一部を操作ノブの側面へ反射する反射部を、裏面側に有する構成とする。
【００１５】
この構成では、拡散部材の拡散光を操作ノブの側面へ反射する反射部が、透光性部材の裏面側に形成されているため、操作ノブの側面の照明強度を向上できる。この結果、操作ノブの視認性をより確保できる。
【００１６】
請求項４に記載の操作パネルは、透光性部材が、拡散部材の前面をカバーするように形成されている構成とする。
【００１７】
この構成では、透光性部材が拡散部材の前面をカバーするため、上述の効果に加え、マークの表示に奥行き感が得られ、操作パネルの見映えをより向上することができる。
【００１８】
請求項５に記載の操作パネルは、透光性部材が、無彩色と有彩色の一方の色調を有する構成とする。
【００１９】
この構成でも上述の効果を得ることができる。透光性部材が有彩色の色調を有する場合、操作パネルの見映えをより向上することができる。
【００２０】
請求項６に記載の操作パネルは、透光性部材が、無色透明である構成とする。
【００２１】
この構成では、透光性部材が無色透明であるため、操作ノブの側面の照明強度を向上できる。この結果、操作ノブの視認性をより確保できる。
【００２２】
請求項７に記載の操作パネルは、透光性部材が、その内部に導かれた光を拡散する性質を有する構成とする。
【００２３】
この構成では、透光性部材が光拡散性を有するため、透光性部材の照明強度を向上できる。これにより、透光性部材と操作ノブとのコントラストがより強調され、操作ノブの視認性をより確保できる。
【００２４】
請求項８に記載の操作パネルは、マークが、拡散部材の前面に形成され、透光性部材が、操作パネルの前面側に形成された透光性プレートであり、透光性部材の背後に配置されたパネルベースを備え、操作ノブが、パネルベースの第１開口と透光性部材の開口とを貫通するように配置され、拡散部材が、パネルベースの第２開口を貫通するように配置され、パネルベースが、自身の前面に反射部を有し、この反射部が、拡散部材の拡散光の少なくとも一部を、透光性部材を通して操作ノブの側面に反射する構成とする。
【００２５】
この構成では、パネルベースの反射部が、拡散部材の拡散光の少なくとも一部を透光性部材を通して操作ノブの側面に反射する。このため、操作ノブの側面の照明強度を向上でき、これにより、操作ノブの視認性をより確保できる。
【００２６】
請求項９に記載の操作パネルは、透光性部材が、パネルベースに固定されている構成とする。
【００２７】
この構成では、透光性部材がパネルベースに固定されている、上述の効果を簡易な構成で得ることができる。
【００２８】
請求項１０に記載の操作パネルは、パネルベースの反射部が、銀色の反射面または白色の反射面で構成される構成とする。
【００２９】
この構成では、パネルベースの反射部が、銀色の反射面または白色の反射面で構成されるため、その反射効率が高く、操作ノブの側面の照明強度を向上できる。この結果、操作ノブの視認性をより確保できる。
【００３０】
請求項１１に記載の操作パネルは、パネルベースの反射部が、有彩色の反射面である構成とする。
【００３１】
この構成では、パネルベースの反射部が有彩色の反射面であるため、操作パネルの見映えをより向上することができる。
【発明を実施するための最良の形態】
【００３２】
以下、本発明による操作パネルを、空調装置（カーエアコン）等の操作パネルに適用した場合を例に図面に基づいて説明する。
【００３３】
（構成）
図１は、本発明の一実施形態による操作パネル１の平面図である。
【００３４】
図２は、図１中のＩＩ−ＩＩ線断面図である。
【００３５】
図３は、図２中のＩＩＩ部の拡大断面図である。
【００３６】
図４は、図１に示す操作パネル１の電気回路構成を説明する回路構成図である。
【００３７】
図１に示す操作パネル１は、当該自動車の車室前面に設けられたインストルメントパネルにおいて車幅方向の中央部に配置される。操作パネル１には、所定の装置である空調装置（カーエアコン）を操作する複数の操作ノブ２と操作ノブ２の操作内容を示すマーク３１を表示する操作表示部３等が、パネル１０内にまとめて配置される。
【００３８】
操作パネル１の中央位置に、空調の温度設定を行うダイヤルノブ４が配置される。ダイヤルノブ４の外周には、ダイヤルノブ４の目盛が形成された加飾リング１０ｃが配置される。ダイヤルノブ４とその外周の加飾リング１０ｃに対して、図１の矢印が示す左右方向の両側位置に、ブラックフェイス調のブラックパネル部１１が形成され、両パネル部１１には設定温度や空調の設定状態を表示する表示装置５が配置される。
【００３９】
ダイヤルノブ４に対して図１の矢印が示す上側に配置された操作ノブ２は、左側から、空調ファンの切り（オフ）、オート空調の入り切り、および外気導入または内気循環の切り換えを行い、３つの操作ノブ２が、横方向に連接して設けられる。各操作ノブ２の操作内容を示すマーク３１を表示する操作表示部３が、３つの操作ノブ２の各々の下側に隣接して、且つ、横方向に連接して設けられる。
【００４０】
３つの操作ノブ２と３つの操作表示部３の左右両側の位置に、助手席のシートベルト表示部６１とハザードランプスイッチ６２が配置される。
【００４１】
ダイヤルノブ４に対して図１の矢印が示す下側に配置された操作ノブ２は、左側から、フロントデフロスタの入り切り、リヤデフロスタの入り切り、空調ファンの強弱調整、モード変更およびエアコンの入り切りを行い、５つの操作ノブ２が、横方向に連接して設けられる。各操作ノブ２の操作内容を示すマーク３１を表示する操作表示部３が、５つの操作ノブ２の各々の上側に隣接して、且つ、横方向に連接して設けられる。
【００４２】
各操作ノブ２、各操作表示部３、ダイヤルノブ４および表示装置５等のまわりの余白部をなすパネル１０は、図２に示すパネルベース１３と、この前面側にこれを覆うように重ね合わせて設けられた透光性部材である透光性プレート１２とから構成される。パネルベース１３は、アクリロニトリル・ブタジエン・スチレン（ＡＢＳ）樹脂等で形成され、反射率の高い銀色で表面塗装される。また、透光性プレート１２は、透明なポリカーボネイト樹脂やアクリル樹脂等で形成される。
【００４３】
尚、図２を見易くするため、図２において、加飾リング１０ｃを省略した。
【００４４】
ダイヤルノブ４の先端部（操作部）は、パネル１０に形成された開口１０ａを貫通してパネル１０の前面側（図２の矢印が示す上側）へ突出する。
【００４５】
ダイヤルノブ４の背後側（図２の矢印が示す下側）には、空調の温度設定を行うダイヤルスイッチ４２が設けられ、ダイヤルノブ４は、ダイヤルスイッチ４２から延出するダイヤルシャフト４１の先端に固定される。これにより、ダイヤルノブ４の回転操作は、ダイヤルシャフト４１を介してダイヤルスイッチ４２に伝達され、空調の温度設定が行われる。
【００４６】
各操作ノブ２は、パネル１０に形成された開口１０ｂを貫通してパネル１０の前面側（図２の矢印が示す上側）へ突出する。具体的に、操作ノブ２は、パネルベース１３の第１開口１３ａと透光性プレート１２の開口１２ａとを貫通してパネル１０の前面側（図３の矢印が示す上側）へ突出する。即ち、パネル１０の開口１０ｂは、パネルベース１３の第１開口１３ａと透光性プレート１２の開口１２ａとから構成される。
【００４７】
ＡＢＳ樹脂等で形成された各操作ノブ２の背後側には、各操作を行う操作スイッチ２４が設けられ、操作ノブ２の延出部２３は、操作ノブ２を下方へ押すと操作スイッチ２４が操作されるように設けられる。
【００４８】
また、各操作ノブ２の背後側には、操作が行われていることを知らせるための発光ダイオード２２が設けられ、操作スイッチ２４が操作されると点灯するように構成される。透明なアクリル樹脂等で形成された導光部材２１は、操作ノブ２の中央部を貫通して設けられ、発光ダイオード３３からの光を導いてその先端側が発光表示される。
【００４９】
以下、本発明の特徴である操作表示部３の周辺の構造を詳細に説明する。
【００５０】
操作表示部３は、マーク３１が前面に形成された拡散部材３２と、拡散部材３２の背後に配置された光源である発光ダイオード３３とから構成される。拡散部材３２は、図２と図３に示すように、パネルベース１３の第２開口１３ｂを貫通して、透光性プレート１２の凹部１２ｃに潜り込むように配置される。
【００５１】
拡散部材３２は、透明なアクリル樹脂などに光拡散用微粉末を混入させて形成したものであり、いわゆる乳白色の色調（明度、色相、彩度）を有する。拡散部材３２は、発光ダイオード３３が発した光の一部を透過させ且つその残部を拡散させるものである。
【００５２】
拡散部材３２は、発光ダイオード３３が発した光の一部により透過照明されると共に、自身の拡散光により、操作ノブ２の側面を、透光性プレート１２を通して照明する。この際、拡散部材３２は、自身の拡散光により、透光性プレート１２も、面発光照明させる。即ち、発光ダイオード３３が発した光は、拡散部材３２により、操作ノブ２の側面と透光性プレート１２とを間接照明する。
【００５３】
上述したように、図１において、ダイヤルノブ４の上側では、３つの操作表示部３が、横方向に連接して設けられる。この３つの操作表示部３として、１つの拡散部材３２が形成される。ダイヤルノブ４の下側では、５つの操作表示部３が、横方向に連接して設けられるが、この場合も同様に形成される。
【００５４】
尚、これらの連接して設けられた複数の操作表示部３として、別体の複数の拡散部材３２を形成するようにすることもできる。
【００５５】
透光性プレート１２の裏面には、透光性部材が、拡散部材３２の拡散光の少なくとも一部を操作ノブ２の側面へ反射する反射部であるシボ面１２ｂを、形成する。シボ面１２ｂは、微小な凹凸が形成された面であり、透光性プレート１２を樹脂成型する際に同時に形成される。
【００５６】
リフレクタ１４は、その内面が反射率の高い白色等で形成され、発光ダイオード３３からの光を拡散部材３２へ導くものである。リフレクタ１４の下側には、操作パネル１の回路部を構成する回路基板７が配置される。発光ダイオード２２、３３、操作スイッチ２４、ダイヤルスイッチ４２は、回路基板７に実装される。
【００５７】
拡散部材３２は、パネルベース１３とリフレクタ１４で挟むことによりパネルベース１３に対して固定する。この固定方法の代わりに、拡散部材３２を、パネルベース１３に対して引っ掛けや熱カシメや接着等により固定することができる。また、パネルベース１３とリフレクタ１４を、樹脂成型により一体的に形成することができる。
【００５８】
以上説明した本実施形態による操作パネル１の電気回路構成について、図４に基づいて説明する。
【００５９】
マイクロコンピュータ等から構成される制御装置１５には、バッテリ１９から電力が常時供給され、イグニッションスイッチ１８がその操作ポジション（オフポジション、オンポジション）を検出可能に接続される。
【００６０】
制御装置１５には、ライトコントロールスイッチ１７がその操作ポジション（オフポジション、スモール・ヘッドランプポジション）を検出可能に接続される。オフポジションでは、車幅灯と尾灯と前照灯が全て消灯され、スモール・ヘッドランプランプポジションでは、車幅灯と尾灯のみ点灯されるかまたは車幅灯と尾灯と前照灯が全て点灯されている。
【００６１】
また、制御装置１５には、発光ダイオード２２、３３が接続され、操作スイッチ２４とダイヤルスイッチ４２等が、それらの操作信号を入力可能に接続される。空調装置１６は、操作スイッチ２４とダイヤルスイッチ４２等からの操作信号に応じて制御装置１５によって制御されるように制御装置１５に接続される。
【００６２】
（作動）
上述したように構成された本発明の一実施形態による操作パネル１の作動について説明する。
【００６３】
イグニッションスイッチ１８がオンされると、図４において、制御装置１５は、それを検出して作動を開始する。即ち、制御装置１５は、操作スイッチ２４とダイヤルスイッチ４２からの操作信号に基づき、空調装置１６を制御する。
【００６４】
昼間等の当該自動車の周囲が明るい時は、ライトコントロールスイッチ１７は、オフポションに操作されて、車幅灯と尾灯と前照灯が全て消灯されている。このオフポションで、制御装置１５は、発光ダイオード３３を消灯させている。
【００６５】
一方、夕暮時等の当該自動車の周囲が薄暗い時または夜間等の当該自動車の周囲が暗い時では、ライトコントロールスイッチ１７はスモール・ヘッドランプポジションに操作されて、車幅灯と尾灯のみ点灯されるかまたは車幅灯と尾灯と前照灯が全て点灯される。
【００６６】
このスモール・ヘッドランプポジションで、制御装置１５は、発光ダイオード３３を点灯させる。
【００６７】
以下、発光ダイオード３３を点灯している際の、操作表示部３の周辺の視認状態について説明する。
【００６８】
発光ダイオード３３が発した光は、図２と図３に示すように、光路Ｐに従って、リフレクタ１４により拡散部材３２内へ導かれる。拡散部材３２は、拡散部材３２内へ導かれた光の一部である光路Ｐ１の光により透過照明されて、マーク３１を表示する。即ち、発光ダイオード３３が発した光は、拡散部材３２を直接照明（透過照明）する。これにより、安定した輝度が得られる直接透過光によりマーク３１が表示されるため、マーク３１の視認性を確実に確保できる。
【００６９】
一方、拡散部材３２内へ導かれた光の残部を拡散し、光路Ｐ２、Ｐ１２の拡散光は、透光性プレート１２を通して操作ノブ２の側面に導かれる。具体的に、光路Ｐ２の拡散光は、透光性プレート１２を通して操作ノブ２の側面に導かれるが、光路Ｐ１の拡散光は、透光性プレート１２のシボ面１２ｂで反射して、光路Ｐ１２の拡散光として操作ノブ２の側面に導かれる。光路Ｐ２、Ｐ１２の拡散光は、光路Ｐ１３に従って操作ノブ２の側面で反射して、これを照明する。
【００７０】
即ち、発光ダイオード３３が発した光は、拡散部材３２により、操作ノブ２の側面を間接照明する。これにより、操作ノブ２の輪郭が強調され、操作ノブ２の視認性が確保される。
【００７１】
この結果、夜間などにおいて、一つの発光ダイオード３３によりマーク３１を視認させつつ操作ノブ２の視認性を確保できる。
【００７２】
尚、図３において、光路Ｐ１３の光は、操作ノブ２の側面からの反射光として説明したが、透光性プレート１２の開口１２ａの内側面からの反射光も含む。
【００７３】
また、光路Ｐ１の拡散光の一部は、透光性プレート１２のシボ面１２ｂで反射して、光路Ｐ１１の拡散光として透光性プレート１２の前面へ導かれる。これにより、透光性プレート１２も、面発光照明される。即ち、図１において、パネル１０は、各操作表示部３のまわりで面発光照明される。これに加えて、パネル１０は、透光性プレート１２により見た目に透明感や奥行き感を演出できるため、操作パネル１の見映えを向上させることができる。
【００７４】
尚、光路Ｐ１１、Ｐ１２の拡散光は、透光性プレート１２のシボ面１２ｂからの反射光として説明したが、パネルベース１３の前面（図３の矢印が示す上側の面）からの反射光も含む。
【００７５】
一方、操作ノブ２を下側に押すと（即ち、操作すると）、操作スイッチ２４が操作ノブ２の延出部２３により下側に押されてオンする。これにより、空調装置１６においてマーク３１が示す操作内容が作動する。このとき、発光ダイオード２２が点灯し、発光ダイオード２２が発した光は、光路Ｑに従って導光部材２１に導かれ、その先端側が発光表示される。これにより、マーク３１が示す操作内容が作動していることを、視認者に知らせることができる。
【００７６】
以上説明した本発明の一実施形態による操作パネル１は、所定の装置である空調装置１６を操作する操作ノブ２と、操作ノブ２と隣接して配置され且つ操作ノブ２の操作内容を示すマーク３１を表示する操作表示部３とを備え、操作表示部３が、マーク３１が形成された拡散部材３２と、拡散部材３２の背後に配置された光源である発光ダイオード３３とを備え、拡散部材３２が、発光ダイオード３３が発した光の一部により透過照明されてマーク３１を表示すると共に、この光の残部を拡散し、この拡散光により、操作ノブ２の側面を照明する。
【００７７】
これにより、一つの光源によりマーク３１を視認させつつ操作ノブ２の視認性を確保できる。
【００７８】
（変形例）
図５は、図３の第１変形例を示す断面図である。
【００７９】
第１変形例では、上述した図３に示す例と異なり、図５に示すように、マーク３１を拡散部材３２上でなくて透光性プレート１２上に形成する。
【００８０】
第１変形例でも、上述の効果を得ることができる。
【００８１】
図６は、図３の第２変形例を示す断面図である。
【００８２】
上述した図３に示す例では、拡散部材３２は、図３に示すように、透光性プレート１２の凹部１２ｃに潜り込むように配置され、拡散部材３２の前面が、透光性プレート１２によりカバーされている。
【００８３】
これに対して、第２変形例では、図６に示すように、透光性プレート１２の凹部１２ｃを開口１２ｃとして形成し、拡散部材３２の前面を開口１２ｃから露出させている。即ち、拡散部材３２の前面が、透光性プレート１２によりカバーされていない。
【００８４】
第２変形例でも、上述の効果を得ることができる。
【００８５】
尚、拡散部材３２の色調（明度、色相、彩度）を、無彩色（白色や灰色の色相を有さない色）に限る必要はなく、有彩色（赤色や黄色等の色相を有する色）とすることができる。これにより、操作パネル１の見映えをより向上することができる。
【００８６】
また、透光性プレート１２のシボ面１２ｂの代わりに、反射層を形成することができる。
【００８７】
また、透光性プレート１２を、無色透明に限る必要はなく、透光性を有する有彩色とすることができる。これにより、操作パネル１の見映えをより向上することができる。
【００８８】
また、透光性プレート１２を、その内部に導かれた光を拡散する性質を有するものとすることができる。これにより、透光性プレート１２の照明強度を向上できるため、透光性プレート１２と操作ノブ２とのコントラストがより強調され、操作ノブ２の視認性をより確保できる。
【００８９】
また、パネルベース１３を、銀色の代わりに白色とすることができる。パネルベース１３の前面の反射効率が高ければ、銀色の代わりに白色やその他の色調とすることができる。これにより、上述の効果を得ることができる。
【００９０】
また、パネルベース１３の色調を、無彩色に限る必要はなく、有彩色とすることができる。これにより、操作パネル１の見映えをより向上することができる。
【００９１】
また、発光ダイオード３３の点灯を、ライトコントロールスイッチ１７に連動させる必要はなく、イグニッションスイッチ１８がオンされると、発光ダイオード３３を点灯させる様にする自発光操作パネルとすることができる。
【００９２】
また、透光性プレート１２を、操作ノブ２の側面と拡散部材３２の側面との間に配置することに限る必要がない。即ち、拡散部材３２の拡散光が、操作ノブ２の側面を、直接的に（透光性プレート１２を通さないで）照明する構成とすることが可能である。
【００９３】
また、操作パネル１を、車両用に限る必要はない。
【００９４】
以上、本発明による計器用表示板の特徴は、所定の装置を操作する操作ノブと、操作ノブと隣接して配置され且つ操作ノブの操作内容を示すマークを表示する操作表示部とを備え、操作表示部が、マークが形成された拡散部材と、拡散部材の背後に配置された光源とを備え、拡散部材が、光源が発した光の一部により透過照明されてマークを表示すると共に、この光の残部を拡散し、この拡散光により、操作ノブの側面を照明することである。
【００９５】
この特徴を満足する限り、上述の例に限らないで、種々の変形例が考えられる。
【図面の簡単な説明】
【００９６】
【図１】図１は、本発明の一実施形態による操作パネル１の平面図である。
【図２】図２は、図１中のＩＩ−ＩＩ線断面図である。
【図３】図３は、図２中のＩＩＩ部の拡大断面図である。
【図４】図４は、図１に示す操作パネル１の電気回路構成を説明する回路構成図である。
【図５】図５は、図３の第１変形例を示す断面図である。
【図６】図６は、図３の第２変形例を示す断面図である。
【符号の説明】
【００９７】
１  操作パネル、２  操作ノブ、２１  導光部材
２２  発光ダイオード、２３  延出部、２４  操作スイッチ
３  操作表示部、３１  マーク、３２  拡散部材、３３  発光ダイオード（光源）
４  ダイヤルノブ、４１  ダイヤルシャフト、４２  ダイヤルスイッチ
５  表示装置、６１  シートベルト表示部、６２  ハザードランプスイッチ
７  回路基板、１０  パネル、１０ａ  開口、１０ｂ  開口、１０ｃ  加飾リング
１１  ブラックパネル部
１２  透光性プレート（透光性部材）、１２ａ  開口
１２ｂ  シボ面（反射部）、１２ｃ  凹部（開口）
１３  パネルベース、１３ａ  第１開口、１３ｂ  第２開口、１４  リフレクタ
１５  制御装置、１６  空調装置（装置）、１７  ライトコントロールスイッチ
１８  イグニッションスイッチ、１９  バッテリ
【図１】
0004680010.tif 000002
【図２】
0004680010.tif 000003
【図３】
0004680010.tif 000004
【図４】
0004680010.tif 000005
【図５】
0004680010.tif 000006
【図６】
0004680010.tif 000007